(57)【要約】      （修正有）【課題】スタイリングの多様性が向上されたヘアスタイリング装置を提供する。【解決手段】互いに動作可能に連結され、髪を受け入れる実質的に開いた状態と、前記髪をはめ込む実質的に接近した位置との間を相対移動させる第１部材及び第２の部材１２，１４と、第１の部材及び第２の部材１２，１４に対して取り付けられたブラシ２２とを備える。ブラシ２２は、第１の部材と第２の部材１２，１４とが接近した状態にあるときに、髪をブラッシングするため、ブラシにより定義された長手軸回りに回転運動する。第１の部材及び第２の部材１２，１４の、両方でなくとも少なくともいずれか一方に、髪を熱処理する発熱体を有する。【選択図】図３Ａ
0003171163.tif 000002
【実用新案登録請求の範囲】
【請求項１】
互いに動作可能に連結され、髪を受け入れる実質的に開いた状態と、前記髪をはめ込む実質的に接近した位置との間で相対移動する第１部材及び第２の部材と、
該第１の部材及び第２の部材に取り付けられたブラシとを備え、
該ブラシは、前記第１の部材と第２の部材とが前記接近した状態にあるときに、前記髪をブラッシングするため、前記ブラシにより定義される長手軸回りに回転運動する、髪をスタイリングする装置。
【請求項２】
少なくとも前記第１の部材及び第２の部材のいずれか一方には、前記髪を熱処理するための発熱体を有する請求項１に記載の装置。
【請求項３】
前記第１の部材及び第２の部材の各々が、前記髪を熱処理するための発熱体を有する請求項２に記載の装置。
【請求項４】
前記ブラシが、前記長手軸回りの第１の方向及び第２の方向の両方に回転する請求項１に記載の装置。
【請求項５】
前記ブラシが、前記第１の部材の内部に配置された駆動シャフトの周囲に取り付けられ、前記駆動シャフトが、該駆動シャフトにより定義される長手軸回りに回転運動して前記ブラシの対応する回転運動を生じさせる請求項１に記載の装置。
【請求項６】
前記第１の部材及び第２の部材のいずれか一方に接続され、前記駆動シャフトを駆動させるモータを有する請求項５に記載の装置。
【請求項７】
前記第１の部材に取り付けられたロック部材を有し、
前記ロック部材は、前記ブラシを前記駆動シャフト上に固定する固定位置と、前記ブラシを前記駆動シャフトから取り外すことを可能にする解除位置との間の寸法を有し、その間を移動する請求項６に記載の装置。
【請求項８】
前記駆動シャフトは、前記駆動シャフトにより定義される長手軸回りの第１の方向及び第２の方向の両方に回転し、前記ブラシの対応する回転運動を生じさせる請求項５に記載の装置。
【請求項９】
前記駆動シャフトの前記回転運動をユーザが選択的に制御することを可能にする制御スイッチを有し、
前記制御スイッチが、前記駆動シャフトの前記第１の回転方向の運動及び前記第２の回転方向の運動をそれぞれ可能にする第１の位置及び第２の位置を有する請求項８に記載の装置。
【請求項１０】
前記回転制御スイッチは、駆動シャフトが静止状態となる第３のニュートラル位置を有する請求項９に記載の装置。
【請求項１１】
前記第１の部材に取り付けられ、前記第１の部材の内部を観察可能なウィンドウを含む請求項５に記載の装置。
【請求項１２】
前記第１の部材及び第２の部材のいずれか一方に取り付けられる毛ブラシ部材を有し、
前記毛ブラシ部材は、前記髪をコーミングするための、間隔をおいて配置された複数の歯を有する請求項１に記載の装置。
【請求項１３】
前記第１の部材及び第２の部材のいずれか一方の側部のそれぞれに隣接して取り付けられた第１の毛ブラシ部材及び第２の毛ブラシ部材を有する請求項１２に記載の装置。
【請求項１４】
前記毛ブラシ部材が前記第１の部材及び第２の部材のいずれか一方に着脱可能に取り付けられている請求項１２に記載の装置。
【請求項１５】
前記発熱体と電気的に接続され、手動で動作される制御部を有し、
前記制御部が、前記発熱体により放射される熱量を制御する請求項２に記載の装置。
【考案の詳細な説明】
【技術分野】
【０００１】
（関連出願の相互参照）本出願は、２０１０年３月９日に出願された米国特許仮出願第６１／３１１，９８３号の優先権及び利益を主張する。
【０００２】
本考案の開示は、髪をスタイリングする装置に関し、より詳細には、ヘアトリートメントを用いて、又は用いずに、髪をストレートに、及びコーミングする、スタイリングの多様性が向上されたヘアスタイリング装置に関する。
【背景技術】
【０００３】
ヘアスタイリングの道具及び装置は当分野で公知であり、加熱されるコーム、ブラシ、カーラ、及びアイロンを含む。これらの装置の例は、本出願と同一の出願人による特許文献１、特許文献２、特許文献３、特許文献４、並びに特許文献５及び特許文献６に開示されており、これらの開示の各々の内容の全てを援用して本文の記載の一部とする。これらの装置又は道具は、これらの装置又は道具の意図された用途に非常に有用であることが分かっている。
【先行技術文献】
【特許文献】
【０００４】
【特許文献１】米国特許第７，４９０，６１５号明細書
【特許文献２】米国特許第７，１７８，５３２号明細書
【特許文献３】米国特許第７，０８２，９４９号明細書
【特許文献４】米国特許第６，１９１，３８７号明細書
【特許文献５】米国特許出願公開第２０１０／０１８０９０８号明細書
【特許文献６】米国特許出願公開第２００５／００８７２０５号明細書
【考案の概要】
【課題を解決するための手段】
【０００５】
本考案は、ヘアスタイリング装置のさらなる改良を目指すものである。
本考案の一実施形態は、互いに動作可能に連結され、髪を受け入れる実質的に開いた状態と、前記髪をはめ込む実質的に接近した位置との間で相対移動する第１の部材及び第２の部材と、該第１の部材及び第２の部材に取り付けられたブラシとを備えた、髪をスタイリングする装置である。前記ブラシは、前記第１の部材と第２の部材とが前記接近した状態にあるときに、前記髪をブラッシングするため、前記ブラシにより定義される長手軸回りに回転運動する。前記第１の部材及び第２の部材の、両方でなくとも少なくともいずれか一方に、髪を熱処理する発熱体を有することとしてもよい。
【０００６】
前記ブラシは、前記長手軸回りの第１の方向及び第２の方向の両方に回転することとしてもよい。
本実施形態においては、前記ブラシは、前記第１の部材の内部に配置された駆動シャフトの周囲に取り付けられ、前記駆動シャフトが、該駆動シャフトにより定義される長手軸回りに回転運動して前記ブラシの対応する回転運動を生じさせる。
モータは、前記第１の部材及び第２の部材のいずれか一方に接続され、前記駆動シャフトを駆動させることとしてもよい。
【０００７】
また、ロック部材が前記第１の部材に取り付けられることとしてもよい。
前記ロック部材は、前記ブラシを前記駆動シャフト上に固定する固定位置と、前記ブラシを前記駆動シャフトから取り外すことを可能にする解除位置との間の寸法を有し、その間を移動する。
【０００８】
本実施形態においては、前記駆動シャフトは、前記駆動シャフトにより定義される前記長手軸回りの第１の方向及び第２の方向の両方に回転し、前記ブラシの対応する回転運動を生じさせる。
【０００９】
制御スイッチは、前記駆動シャフトの前記回転運動をユーザが選択的に制御することを可能にする。
また、前記制御スイッチは、前記駆動シャフトの前記第１の回転方向の運動及び第２の回転方向の運動をそれぞれ可能にする第１の位置及び第２の位置を有することとしてもよい。
また、前記制御スイッチは、前記駆動シャフトが静止状態となる第３のニュートラル位置を有することとしてもよい。
【００１０】
また、毛ブラシ部材が前記第１の部材及び第２の部材のいずれか一方に取り付けられることとしてもよい。
前記毛ブラシ部材は、前記髪をコーミングするための、間隔をおいて配置された複数の歯を有する。
また、第１の毛ブラシ部材及び第２の毛ブラシ部材が、前記第１の部材及び第２の部材のいずれか一方の側部のそれぞれに隣接して取り付けられることとしてもよい。
さらに、前記毛ブラシ部材は、前記第１の部材及び第２の部材のいずれか一方に着脱可能に取り付けられることとしてもよい。
【００１１】
手動で動作される制御部が前記発熱体と電気的に接続されている。
前記制御部は、前記発熱体により放射される熱量を制御することとしてもよい。
【００１２】
本考案の開示の様々な実施形態を、図面を参照しつつ以下に記載する。
【図面の簡単な説明】
【００１３】
【図１Ａ】本考案の原理による、髪をスタイリングする装置の上面図である。
【図１Ｂ】本考案の原理による、髪をスタイリングする装置の側面図である。
【図１Ｃ】本考案の原理による、髪をスタイリングする装置の底面図である。
【図２Ａ】髪をスタイリングする装置の軸方向正面図である。
【図２Ｂ】髪をスタイリングする装置の軸方向後面図である。
【図３Ａ】髪をスタイリングする装置の斜視図であり、第１のスタイリング部材及び第２のスタイリング部材が開放状態にある様子を示す。
【図３Ｂ】細長い毛ブラシ部の斜視図である。
【図４】髪をスタイリングする装置の斜視図であり、部品を分離し装置の一部を取り外した状態における、第１のスタイリング部材の内部部品を示す。
【図５Ａ】髪をスタイリングする装置の第１のスタイリング部材の側面図である。
【図５Ｂ】髪をスタイリングする装置の第１のスタイリング部材の底面図である。
【図５Ｃ】髪をスタイリングする装置の第１のスタイリング部材の軸方向正面図である。
【図６Ａ】髪をスタイリングする装置の第２のスタイリング部材の側面図である。
【図６Ｂ】髪をスタイリングする装置の第２のスタイリング部材の底面図である。
【図６Ｃ】髪をスタイリングする装置の第２のスタイリング部材の軸方向正面図である。
【図７Ａ】髪をスタイリングする装置の、図１Ｂにおける線７Ａ−７Ａ断面図である。
【図７Ｂ】髪をスタイリングする装置の、図１Ａにおける線７Ｂ−７Ｂ断面図である。
【図８Ａ】髪をスタイリングする装置の別の斜視図である。
【図８Ｂ】図８Ａで特定された、モータ制御部を示す区分領域の拡大図である。
【図９】髪をスタイリングする装置の電気部品を示す回路図又はフローである。
【図１０】本考案の装置を用いて髪をスタイリングする様子を示す斜視図である。
【図１１】図１に示した髪をスタイリングする装置の他の実施形態を示す斜視図である。
【図１２Ａ】図１１に示した髪をスタイリングする装置の斜視図であり、第１のスタイリング部材の内部部品を示すために部品が取り外されている。
【図１２Ｂ】スタイリングブラシの自由回転運動を可能にする自由回転駆動機構の部品を示す斜視図である。
【考案を実施するための形態】
【００１４】
図面を参照し、以下に説明する。複数の図面を通じて類似の参照番号は類似の部品を示す。
図１Ａ〜図１Ｃ及び図２Ａ〜図２Ｂは、本考案の開示の原理によるヘアスタイリング装置を示す。ヘアスタイリング装置１０は非常に用途が広く、操作者が所望のスタイリング結果を得るために、髪に様々な機能を施すことができる。装置１０は発熱体を組み込むことができ、髪を真っ直ぐにする機能、カーリング機能、ブラッシング機能及び／又はコーミング機能を、個々に又は同時に提供することができる。
【００１５】
以下、図３を図１Ｂと共に参照して説明する。
装置１０は、第１のハンドル及び第２のハンドル、すなわち、ヘアスタイリング部材１２，１４を含み、ヘアスタイリング部材１２と１４とは互いに動作可能に連結され、図１Ｂに示されているような、実質的に接近した状態と、図３に示されているような、実質的に開いた状態との間を相対移動する。本実施形態において、第２のスタイリング部材１４は、装置１０の接近状態と開いた状態との間を、ピボット部１６回りに旋回する。しかし、第１のスタイリング部材１２も、単独で、又は第２スタイリング部材１４と連動して、接近状態と開いた状態との間を旋回することができる。
【００１６】
第１スタイリング部材１２は、外側シェル１８と、熱を髪に伝達するために外側シェル１８に取り付けられた少なくとも１つの加熱プレート２０を含む。本実施形態において、第１スタイリング部材１２は、第１スタイリング部材１２の各側部の上に一方が配置された、１対の対向する加熱プレート２０を組み込んでいる。加熱プレート２０は平面状としてもよいし、或いは、髪に何らかのカーブ又はカール面をもたらすように、アーチ状の外形（例えば、凸状の構造）としてもよい。第１スタイリング部材１２は、さらに、１対の加熱プレート２０の間に少なくともその一部が配置された回転ブラシ部２２と、ブラシ部２２を第１スタイリング部材１２に着脱可能に固定するロックキャップ２４とを含む。回転ブラシ部材２２及びロックキャップ２４に関しては、以下にさらに詳細に記載する。
【００１７】
図３及び図３Ａに良く示されているように、第１スタイリング部材１２は、さらに、第１スタイリング部材１２の外側シェル１８の側部に取り付けられた１対の細長い毛ブラシ又はコーム部２６を含む。細長い毛ブラシ部２６は、各々、接近した第１スタイリング部材１２と第２スタイリング部材１４との間を通過する髪をコーミングするための寸法につくられた、間隔を有して配置された複数の歯２８を含む。細長い毛ブラシ部２６は第１スタイリング部材１２に着脱可能に取り付けられることとしてもよい。
本実施形態においては、各々の毛ブラシ部２６は、第１スタイリング部材１２の外側シェル１８内であって、対応する寸法につくられた縦溝３２内に受け入れられる内側レール３０を有し、それにより部品が連結される（図７Ａも参照）。これらの細長い毛ブラシ部２６の内側レール３０は、細長い毛ブラシ部２６が第１スタイリング部材１２に対して着脱可能となるよう、長手方向溝３２内を、図３の矢印「ｋ」により示されているいずれの方向にもスライドできる寸法につくられている。細長い毛ブラシ部２６の内側レール３０の各々は、レール３０のそれぞれの溝３２内にカチっと嵌めることができ、或いは、溝３２を定義される内面に摺動させて、これらの部品を着脱可能に連結させることも可能である。
【００１８】
以下、図３と共に図４を参照して説明する。
第１スタイリング部材１２は、さらに、モータ３４と、モータ３４にギヤボックス３８を介して機械的に連結された回転可能な駆動シャフト３６と、駆動シャフト３６回りに取り付けられたブラシ部２２とを含む。モータ３４は、ギヤボックス３８との機械的連動により駆動シャフト３６を回転運動させる任意の慣用のモータ、例えば、ＤＣモータを用いることができる。手動操作される回転式制御スイッチ４０は、モータ３４と電気的に接続されており、モータ３４の動作を、論理回路（例えば、プリント回路基板４２など）と協働して制御する。制御スイッチ４０は、回転可能な駆動シャフト３６が、駆動シャフト３６の軸「ｖ」回りである第１の方向及び第２の方向に回転させる。
【００１９】
回転可能なブラシ部２２が、駆動シャフト３６の回転運動により対応する回転運動が回転ブラシ部２２に伝えられるように、駆動シャフト３６回りに取り付けられている。
本実施形態において、駆動シャフト３６は、多角形又は非円形の断面寸法を定義し、この断面寸法は、ブラシ部２２内の対応する寸法につくられた多角形又は非円形の内孔４４内に受け入れられて、これらの部品（シャフト３６とブラシ部２２）が回転可能に連結されている。
ブラシ部２２は任意の適切な材料を含むこととしてもよい。
本実施形態において、ブラシ部２２は、髪の通過を容易にするため、および／又は、第１及び第２のスタイリング部材１２，１４内に組み込まれた発熱体により発生される熱に耐えるためのシリコンの層又はコーティングを含む。細長いブラシ部２２は、髪に所望のブラッシング作用をもたらすための毛ブラシ又はブレード２２ａなどを含むこととしてもよい。
【００２０】
図３、図４及び図５Ａ〜図５Ｃを参照すると、ロックキャップ２４が、ブラシ部２２の端部周囲と嵌合する円形のベース４６を定義している。ベース４６はバヨネット（差込）スロット４８を定義しており、スロット４８は、第１スタイリング部材１２の外側シェル１８の内部から延在する対応するバヨネットピン５０（図５Ｃ）を受け入れてロックキャップ２４を第１スタイリング部材１２に着脱可能に固定し、ブラシ部２２を駆動シャフト３６に着脱可能に固定する。
図５Ｃは、外側シェル１８から延在する内部バヨネットピン５０を示すために、取り外された状態のロックキャップ２４の一部を示す。詳細には、ロックキャップ２４は、図３に示されているように、固定位置と解除位置との間を約９０度の角度にわたって可逆的に回転可能である。解除位置において、第１スタイリング部材１２の外側シェル１８の内部から延在する対応するバヨネットピン５０は、バヨネットスロット４８の長手方向のスロットセグメント５２と位置合わせされている。この位置において、ロックキャップ２４は第１スタイリング部材１２に対して着脱可能としてもよく、これにより、ブラシ部２２の、駆動シャフト３６回りへの着脱を可能にする。ブラシ部２２を取り外すことにより、ブラシ部の掃除及び、ブラシ部からの毛束の除去が容易になる。
ロックキャップ２４を９０度回転させてロックキャップ２４を固定位置に移動させ、対応してバヨネットピン５０がバヨネットスロット４８の横方向スロットセグメント５４内を横方向移動すると、ロックキャップ２４が第１スタイリング部材１２に対して固定される。すなわち、バヨネットピン５０はバヨネットスロット４８の横方向スロットセグメント５４内に保持され、それによりロックキャップ２４を第１スタイリング部材１２に固定する。横方向のスロットセグメント５４は、バヨネットピン５０を収容するために定義された凹部を有することとしてもよく、また、ロックキャップ２４が固定されたことが聞き取れるよう、クリック音を発生させるように形成してもよい。
【００２１】
第１スタイリング部材１２は、その内面に、さらに電気接触部５６を含む。接触部５６は、第２スタイリング部材１４の制御パネル（以下に説明する）と電気的に接続されており、第１スタイリング部材と第２スタイリング部材とが接近状態であって、装置の電源がオンの状態ときに、第２スタイリング部材１４の対応する接触部５６と電気的に係合して回路を完成させ、装置１０を作動させる。電気フローチャート又は回路図に関しては、以下に、より詳細に説明する。
【００２２】
図６Ａ〜図６Ｃを参照し、第２スタイリング部材１４について説明する。
第２スタイリング部材１４は、外側シェル１４Ａ、及び、外側シェル１４Ａに、第１スタイリング部材１２の加熱プレート２０に対向して取り付けられた加熱プレート５８を含む。本実施形態において、加熱プレート５８は、第１スタイリング部材１２の加熱プレート２０の略凸状の構造と係合する、略凹状の外形を定義している。第２スタイリング部材１４は、さらに、ユニット（装置）を作動させるための手動オン／オフスイッチ６２、加熱プレート２０，５８に関連する発熱体により伝達及び／又は発生される温度又は熱を制御するための温度ダイヤル６４、及び、装置の作動状態を表示するための可視インジケータ６６を組み込んだ制御パネル６０を含む。温度ダイヤル６４は、加熱プレート２０，５８に接続された発熱体により発生される温度の選択的な制御を可能にするための可変抵抗器又は加減抵抗器を組み込み得る。可視インジケータは、発光ダイオード（ＬＥＤ）等であり得る。図示されているように、電気コード６８が制御パネル６０と電気的に接続しており、且つ、電源（例えば交流電源）と接続するように適合されている。接触部５６も図６Ａに示されている。接触部５６は、第１スタイリング部材１２と第２スタイリング部材１４とが接近状態にあるときに、第１スタイリング部材１２の接触部５６と協働する。
【００２３】
図７Ａ〜図７Ｂは、第１スタイリング部材１２と第２スタイリング部材１４とが接近状態にあるときの、線７Ａ−７Ａ及び線７Ｂ−７Ｂに沿った、第１スタイリング部材１２及び第２スタイリング部材１４の中心を通る断面図である。図示されているように、第１スタイリング部材１２の略凹状の加熱プレート２０が、第２スタイリング部材１４の加熱プレート５８の略凸状の面の対応する輪郭に近接し、この輪郭に沿って配置されている。髪「ｌ」に熱を与えるために、セラミックヒータ７０が加熱プレート２０，５８に隣接し、接触して、加熱プレート２０，５８に熱を伝達する。セラミックヒータ７０は、制御パネル６０と電気的に接続されている。
【００２４】
図７Ｂに示されているように、ブラシ部２２は、第１スタイリング部材１２及び第２スタイリング部材１４を通って延在する髪「ｌ」を処理するため、矢印「ｂ」の方向に回転することができる。髪「ｌ」は、髪にコーミング作用が与えられるように毛ブラシ部２６にも通される。先に述べたように、ブラシ部２２は、必要に応じて矢印「ｂ」の方向とは反対の第２の方向に回転され得る。図８Ａ〜図８Ｂは、ブラシ部２２の時計回りの又は反時計回りの回転を行うためにモータ３４の動作を制御するためのスイッチ４０の移動を表す。ブラシ部２２のこのような交互の回転運動により、装置１０の多用途性を高めることができ、また、第１の方向に回転しているときに髪「ｌ」が絡まった場合には、ブラシ部２２を逆又は反対に回転運動させることが可能である。
【００２５】
図９は、装置１０の動作を示す回路図である。
図示されているように、髪を処理するプロセスにおける第１の段階は、オン／オフスイッチ６２を作動させて電源を作動させることである。第１スタイリング部材１２と第２のスタイル部材１４とが開放状態にある場合、スタイリング部材１２，１４が接近状態になる（そのとき、第１スタイリング部材１２及び第２スタイリング部材１４の各々の接触部５６が互いに接触して回路を完成する）まで、回路を開いた状態としてもよい。
また、ＬＥＤ可視インジケータ６６を点灯させることとしてもよい。
その後、操作者は、セラミック製発熱体７０に向けられる熱を、温度制御ダイヤル／可変抵抗器６４の操作を介して制御することとしてもよい。
【００２６】
図８Ａ〜図８Ｂと図９を参照すると、第１スタイリング部材１４上のモータ回転制御パネルスイッチ４０を、矢印「ｔ」の左端である第１の位置に移動させ、駆動シャフト３６及びブラシ部２２に、第１の、すなわち反時計回りの回転運動を伝えるようにモータ３４を作動させることができ、或るいは、矢印「ｊ」の右端である第２の位置に移動させ、駆動シャフト３６及びブラシ部２２に、第２の、すなわち時計回りの回転運動を伝えるようにモータ３４を作動させることができ、又は、駆動シャフト３６及びブラシ部２２がモータ３４により駆動されないニュートラル位置（図８Ｂに示す）に移動させることができる。
【００２７】
図１０は、装置１０が、髪の処理又はスタイリングに用いられている様子を示す。
図示されているように、第１スタイリング部材１２の外側シェル１８は、髪「ｌ」がブラシ部２２を通過するときに見えるようにプレキシガラス等で覆われた透明なウィンドウ７２を含んでいる。
【００２８】
図１１及び図１２Ａ〜図１２Ｂを参照すると、髪をスタイリングする装置の別の実施形態が示されている。
この実施形態によれば、装置１００は、ブラシ部２２（図示せず）を駆動させるモータを有さない。ブラシ部２２は、内部シャフト１０４回りに自在に回転可能な駆動シャフト１０２に取り付けられている。例えば、内部シャフト１０４は、ベアリングブラケット１０８内のベアリング１０６により支持され、Ｃクリップ１１０により固定される。Ｃクリップ１１０は、内部シャフト１０４内の対応する溝１１２と係合されることとしてもよい。内部シャフト１０４は第１スタイリング部材１２により固定されている。
この構造により、駆動シャフト１０２とブラシ部２２とは、髪「ｌ」が通過するときに自在に回転することができる。
その他の大部分の点に関し、装置１００は、図面に記載されている装置と実質的に類似である。
【００２９】
本考案の例示的な実施形態を、添付図面を参照しつつ本文中に開示してきたが、上記の説明、開示及び図面が限定的なものと解釈されるべきでなく、これらは、単に、特定の実施形態の例示と見なされるべきである。
従って、本考案の開示がこれらの詳細な実施形態に限定されず、他の様々な変更及び修正が、当業者により、本考案の開示の範囲又は精神から逸脱せずに本考案に行われ得る。
【符号の説明】
【００３０】
１０  装置
１２  第１のスタイリング部材
１４  第２のスタイリング部材
１６  ピボット部
１８  外側シェル
２０  加熱プレート
２２  ブラシ部
２２ａ  ブレード
２４  ロックキャップ
２６  毛ブラシ部
２８  歯
３０  内側レール
３２  長手方向の溝
３４  モータ
３６  駆動シャフト
３８  ギヤボックス
４０  制御スイッチ
４２  回路
４４  内孔
４６  ベース
４８  バヨネットスロット
５０  内部バヨネットピン
５４  横方向のスロットセグメント
５２  長手方向のスロットセグメント
５６  電気接触部
５８  加熱プレート
６０  制御パネル
６２  オン／オフスイッチ
６４  温度ダイヤル
６６  ＬＥＤ可視インジケータ
７０  発熱体（セラミックヒータ）
１００  装置
１０２  駆動シャフト
１０４  内部シャフト
１０６  ベアリング
１０８  ベアリングブラケット
１１０  Ｃクリップ
【図１Ａ】
0003171163.tif 000003
【図１Ｂ】
0003171163.tif 000004
【図１Ｃ】
0003171163.tif 000005
【図２Ａ】
0003171163.tif 000006
【図２Ｂ】
0003171163.tif 000007
【図３Ａ】
0003171163.tif 000008
【図３Ｂ】
0003171163.tif 000009
【図４】
0003171163.tif 000010
【図５Ａ】
0003171163.tif 000011
【図５Ｂ】
0003171163.tif 000012
【図５Ｃ】
0003171163.tif 000013
【図６Ａ】
0003171163.tif 000014
【図６Ｂ】
0003171163.tif 000015
【図６Ｃ】
0003171163.tif 000016
【図７Ａ】
0003171163.tif 000017
【図７Ｂ】
0003171163.tif 000018
【図８Ａ】
0003171163.tif 000019
【図８Ｂ】
0003171163.tif 000020
【図９】
0003171163.tif 000021
【図１０】
0003171163.tif 000022
【図１１】
0003171163.tif 000023
【図１２Ａ】
0003171163.tif 000024
【図１２Ｂ】
0003171163.tif 000025